(57)【特許請求の範囲】
【請求項１】
軸本体に螺旋リブ部を設け、軸先端に径方向外方に向けて拡がるブラシ部を有する雪中設置用標識アンカーであって、
前記ブラシ部は軸方向に沿って軸基端に向かい傾斜するように複数条を配列されてなると共に、一条の前記ブラシ部は軸方向に沿って複数列に配され、前記複数列の夫々の先端部が相互に突合するように形成されてなる
ことを特徴とする雪中設置用標識アンカー。
【請求項２】
前記ブラシ部は、前記螺旋リブ部の螺旋角度と同様の角度にて配設されてなることを特徴とする請求項１に記載の雪中設置用標識アンカー。
【請求項３】
前記軸本体の周面には複数の突部を形成してなることを特徴とする請求項１又は２に記載の雪中設置用標識アンカー。
【請求項４】
請求項１乃至３の何れか一に記載の雪中設置用標識アンカーを備えることを特徴とする標識。
【請求項５】
請求項４に記載の雪中設置用標識アンカーを備える標識の設置方法であって、
雪中に前記軸本体の径より径小の孔を穿設する行程と、
前記孔に前記雪中設置用標識アンカーの下部を突き刺し固定する行程と、
前記標識に取付取外用器具を外装し前記雪中設置用標識アンカーに係合させる行程と、
前記取付取外用器具を回転させ、前記雪中設置用標識アンカーを前記孔にねじ込む行程と、
前記雪中設置用標識アンカーが所定位置に埋設された状態で、さらに前記雪中設置用標識アンカーを水平回転させて窄んだ前記ブラシ部を拡径させる行程と、
を備えることを特徴とする標識の設置方法。
【発明の詳細な説明】
【技術分野】
【０００１】
本発明は、例えば、スラローム等のスキー競技の標識や積雪状態における標識を支持するための雪中設置用標識アンカー及びその設置方法に関する。
【背景技術】
【０００２】
従来、スラローム等のスキー競技の標識を支持するための雪中設置用標識アンカーとしては、例えば、特開平１０−２０８２１号公報（特許文献１）に記載のものが公知である。
【０００３】
前記特許文献１に記載の雪中設置用標識アンカーは、雪中に簡単にかつ素早く設置することができ、しかも安全上の観点及びスキー競技を円滑に進める観点から、雪中に確実に保持することのできるポール支持装置を提供するために、 雪中に埋設されて、雪上に起立されるスキー競技用のポールを支持するスキー競技用のポール支持装置において、ポールの基部を支持する筒部を有し、この筒部の外周には不連続に延びるらせん状のねじ部を設けたことを特徴とするものである。
【０００４】
また、先端部にブラシ部を設けた雪中設置用標識アンカーとしては、例えば、米国特許公報ＵＳ７，９９２，９００（特許文献２）に記載のものが公知である。
【０００５】
前記特許文献２に記載の雪中設置用標識アンカーは、スラロームポールやスキーポールの基礎として使用されるものであって、基端側に逆立ったブラシ部が外方に向けて３方向に突出するように植設された先端部と、前記先端部より径大に形成された六角形状の柱状の基端部とを一体的に成型して構成されている。前記雪中設置用標識アンカーは、雪中に突き刺して設置するものであり、設置された場合は、にあっては、前記基端側に逆立ったブラシ部が引き抜き方向への抵抗となり、それにより引き抜き方向に対して固定されるように構成されている。
【先行技術文献】
【特許文献】
【０００６】
【特許文献１】特開平１０−２０８２１号公報
【特許文献２】米国特許公報  ＵＳ７，９９２，９００
【発明の概要】
【発明が解決しようとする課題】
【０００７】
しかしながら、前記特許文献１に記載の雪中設置用標識アンカーは、螺旋状のねじ部によって、螺入して固定しているが、引き抜き方向への抵抗としては、螺旋状のネジ深さだけであるので、必ずしも十分に固定されているとは言い難かった。
【０００８】
一方、前記特許文献２に記載の雪中設置用標識アンカーは、前記基端側に逆立ったブラシ部が引き抜き方向への抵抗となり、それにより引き抜き方向に対して固定されているが、予め、基端部の径より小径の孔をドリル等で穿設して前記孔に圧入することにより設置するので、前記孔が小径であれば有る程、固定力は高まるが、圧入することが困難となる。一方で雪中設置用標識アンカーを圧入し易くするために前記孔に径を大きくすると、固定力が減少する。
【０００９】
また、特許文献２の雪中設置用標識アンカーは、ブラシ部を多くするとより引き抜き方向に対して固定力を増すが圧入することが困難となり、一方で、圧入することが容易なようにブラシ部を少なくすると、引き抜き方向に対して固定力が減少し、二律背反することとなる。
【００１０】
本発明は、かかる点に鑑みてなされたものであり、その目的とするところは、回転圧入することができる雪中設置用標識アンカーであって、比較的小径の孔であっても、回転させながら容易に雪中に埋設させることができると共に、一方で、引き抜き方向に対して固定力を高めた雪中設置用標識アンカーを提供することにある。
【００１１】
また、本発明の他の目的は、前記雪中設置用標識アンカーを撤収する際に、容易に取り外すことのできる取付取外用器具を提供することにある。
【００１２】
さらに、本発明の他の目的は、前記雪中設置用標識アンカーを設置する際に、より引き抜き方向に対して固定力を高めることのでき前記雪中設置用標識アンカーの設置方法を提供することにある。
【課題を解決するための手段】
【００１３】
請求項１に係る雪中設置用標識アンカーは、軸本体に螺旋リブ部を設け、軸先端に径方向外方に向けて拡がるブラシ部を有する雪中設置用標識アンカーであって、前記ブラシ部は軸方向に沿って軸基端に向かい傾斜するように複数条を配列されてなると共に、一条の前記ブラシ部は軸方向に沿って複数列に配され、前記複数列の夫々の先端部が相互に突合するように形成されてなることを特徴とする。
【００１４】
請求項１に係る雪中設置用標識アンカーにあっては、軸本体に螺旋リブ部を設け、軸先端に径方向外方に向けて拡がるブラシ部を有する雪中設置用標識アンカーであって、前記ブラシ部は軸方向に沿って軸基端に向かい傾斜するように複数条を配列されてなると共に、一条の前記ブラシ部は軸方向に沿って複数列に配され、前記複数列の夫々の先端部が相互に突合するように形成されているので、一条の前記ブラシ条は、平面視において先端が窄まった形状となっているので、回転圧入するときの抵抗が少なく、雪中に入り易くなるとともに、前記複数列の先端において、相互に突合するように植設されているので、先端部において複数列は重なり合っているため、引き抜き抵抗を高めることができる。
【００１５】
請求項２に係る雪中設置用標識アンカーは、請求項１に記載の雪中設置用標識アンカーにおいて、前記ブラシ部は、前記螺旋リブ部の螺旋角度と同様の角度にて配設されてなることを特徴とする。
【００１６】
請求項２に係る雪中設置用標識アンカーにあっては、前記ブラシ部が前記螺旋リブ部の螺旋角度と同様の角度にて配設されているので、回転圧入するときに雪中に入り易いものとなると共に、撤収時における回転引き抜きについても容易となる。
【００１７】
請求項３に係る雪中設置用標識アンカーは、請求項１又は２に記載の雪中設置用標識アンカーにおいて、前記軸本体の周面には複数の突部を形成してなることを特徴とする。
【００１８】
請求項３に係る雪中設置用標識アンカーにあっては、請求項１又は２に記載の雪中設置用標識アンカーにおいて、前記軸本体の周面には複数の突部を形成しているので、設置状態において、固定力をより高めることができる。
【００１９】
請求項４に係る標識は、請求項１乃至３の何れか一に記載の雪中設置用標識アンカーを備えることを特徴とする。
【００２０】
請求項４に係る標識にあっては、請求項１乃至３の何れか一に記載の雪中設置用標識アンカーと同様の作用効果を奏する。
【００２３】
請求項５に係る標識の設置方法は、請求項４に記載の雪中設置用標識アンカーを備える標識の設置方法であって、雪中に前記軸本体の径より径小の孔を穿設する行程と、前記孔に前記雪中設置用標識アンカーの下部を突き刺し固定する行程と、前記標識に取付取外用器具を外装し前記雪中設置用標識アンカーに係合させる行程と、前記取付取外用器具を回転させ、前記雪中設置用標識アンカーを前記孔にねじ込む行程と、前記雪中設置用標識アンカーが所定位置に埋設された状態で、さらに前記雪中設置用標識アンカーを水平回転させて窄んだ前記ブラシ部を拡径させる行程と、を備えることを特徴とする。
【００２４】
請求項６に係る標識の設置方法雪にあっては、標識を前記雪中設置用標識アンカーが埋設する程度にねじ込み、その位置で、さらに回転させ前記ブラシ部を回転させて、周囲の雪を削り、前記ブラシ部を拡径させるので前記標識の固定力及び引き抜き強度を高めることができる。
【発明の効果】
【００２５】
請求項１に記載の雪中設置用標識アンカーによれば、軸本体に螺旋リブ部を設け、軸先端に径方向外方に向けて拡がるブラシ部を有する雪中設置用標識アンカーであって、前記ブラシ部は軸方向に沿って軸基端に向かい傾斜するように複数条を配列されてなると共に、一条の前記ブラシ部は軸方向に沿って複数列に配され、前記複数列の夫々の先端部が相互に突合するように形成されているので、一条の前記ブラシ条は、平面視において先端が窄まった形状となっているので、回転圧入するときの抵抗が少なく、雪中に入り易くなるとともに、前記複数列の先端において、相互に突合するように植設されているので、先端部において複数列は重なり合っているため、引き抜き抵抗を高めることができる。
【００２６】
請求項２に記載の雪中設置用標識アンカーによれば、請求項１に記載の雪中設置用標識アンカーにおいて、前記ブラシ部が前記螺旋リブ部の螺旋角度と同様の角度にて配設されているので、請求項１に記載の雪中設置用標識アンカーに加えて、回転圧入するときに雪中に入り易いものとなると共に、撤収時における回転引き抜きについても容易となる。
【００２７】
請求項３に記載の雪中設置用標識アンカーによれば、請求項１又は２に記載の雪中設置用標識アンカーにおいて、前記軸本体の周面には複数の突部を形成しているので、設置状態において、固定力をより高めることができる。
【００２８】
請求項４に記載の標識によれば、請求項１乃至３の何れか一に記載の雪中設置用標識アンカーを備えているので、請求項１乃至３の何れか一に記載の雪中設置用標識アンカーと同様の作用効果を奏する。
【００３０】
請求項５に記載の標識の設置方法によれば、請求項４に記載の雪中設置用標識アンカーを備える標識の設置方法であって、雪中に前記軸本体の径より径小の孔を穿設する行程と、前記孔に前記雪中設置用標識アンカーの下部を突き刺し固定する行程と、前記標識に取付取外用器具を外装し前記雪中設置用標識アンカーに係合させる行程と、前記取付取外用器具を回転させ、前記雪中設置用標識アンカーを前記孔にねじ込む行程と、前記雪中設置用標識アンカーが所定位置に埋設された状態で、さらに前記雪中設置用標識アンカーを水平回転させて窄んだ前記ブラシ部を拡径させる行程と、を備えているので、標識を前記雪中設置用標識アンカーが埋設する程度にねじ込み、その位置で、さらに回転させ前記ブラシ部を回転させて、周囲の雪を削り、前記ブラシ部を拡径させるので前記標識の固定力及び引き抜き強度を高めることができる。
【図面の簡単な説明】
【００３１】
【図１】本発明に係る雪中設置用標識アンカーの正面図である。
【図２】同雪中設置用標識アンカーの底面図である。
【図３】同雪中設置用標識アンカーの平面図である。
【図４】同雪中設置用標識アンカーの軸本体の正面視要部拡大図である。
【図５】同雪中設置用標識アンカーのブラシ部の要部断面図である。
【図６】同雪中設置用標識アンカーの取付取外用器具であり、（ａ）は略正面図であり、（ｂ）は係合部拡大斜視図である。
【図７】同雪中設置用標識アンカーの設置方法の手順（第１行程）を示す概略図である。
【図８】同雪中設置用標識アンカーの設置方法の手順（第２行程）を示す概略図である。
【図９】同雪中設置用標識アンカーの設置方法の手順（第３行程）を示す概略図である。
【図１０】同雪中設置用標識アンカーの設置方法の手順（第４行程）を示す概略図である。
【図１１】同雪中設置用標識アンカーの設置方法の手順（第５行程）を示す概略図である。
【発明を実施するための最良の形態】
【００３２】
以下、本発明に係る雪中設置用標識アンカー（以下、「アンカー」という。）、前記雪中設置用標識アンカーの取付取外用器具及び前記雪中設置用標識アンカーの設置方法を実施するための最良の形態について、図面に従って説明する。
【００３３】
図１は本発明に係る雪中設置用標識アンカーの正面図であり、図２は同雪中設置用標識アンカーの底面図であり、図３は同雪中設置用標識アンカーの平面図である。
【００３４】
図１乃至図３において、１０は本発明に係る雪中設置用標識アンカーであり、前記雪中設置用標識アンカー１０は、円柱状の本体軸部２０と、前記本体軸部２０より小径であってブラシＢＲを植設したブラシ軸部３０と、前記ブラシ軸部３０の先端部に形成する略円錐状の先端突入部３１とが、合成樹脂により一体的に成型されて構成されている。
【００３５】
前記本体軸部２０は、中空形状に形成され、後述する接続バネ５０（図８乃至図１１参照）を強制嵌合する嵌合孔２１を基端部に開口させ、前記嵌合孔２１の外周には四方に向け径方向外方に突出する係合突出部２２を突設形成している。また、前記本体軸部２０は、周面に軸方向に向けて２条ネジ状の螺旋リブ２３を設ける共に、外周面全体に半球状の小突起２４を突出形成している
【００３６】
前記ブラシ軸部３０は、中実状に成型され強度が高められており、軸の長さ方向に向けて２列を１条３８として、６条のブラシ条３８を周方向において等間隔かつ、軸径方向に亘って植設されている。また、前記ブラシＢＲは、前記ブラシ軸部３０の基端方向に向けて傾斜すると共に、前記ブラシＢＲのブラシ径が前記本体軸部２０より径大となると共に窄んだ場合は前記本体軸部２０の直径範囲内に収まるように形成されている。
【００３７】
前記先端突入部３１は、その外径を前記本体軸部２０の外径と略同径となるように、前記ブラシ軸部３０より大径に形成すると共に、傾斜部に沿って、前記植設された６条のブラシＢＲの条間に合致する位置に雪中に突入する場合に雪塊を逃がすための逃がし溝３１ａを穿設している。そして、前記逃がし溝３１ａ，３１ａ間に残された形で形成される突部３１ｂは前記ブラシＢＲの根本の直下にそれぞれ位置するので、前記先端突入部３１雪中に突入する場合に、前記ブラシＢＲの根本を保護する効果を有することとなる。
【００３８】
図４は同雪中設置用標識アンカーの本体軸部及びブラシ軸部の正面視要部拡大図であり、図５は同雪中設置用標識アンカーのブラシ部におけるブラシ群の植設状態を示す要部断面図である。
【００３９】
図４及び図１に示すように、前記ブラシＢＲは、多数のブラシ毛が一つの植設孔３５に植設された一個のブラシ群３６が、前記ブラシ軸部３０の軸の長手方向に１３個、等間隔に一列に列３７（３７ａ，３７ｂ）として形成されて、前記一の列３７ａと隣り合う列３７ｂのブラシ群３６は、前記列３７ａのブラシ群３６，３６の間に配列される長手方向位置にて形成されると共に、一の列３７ａが対抗する列３７ｂに対してそれぞれが傾斜して植設されている。そして、前記ブラシＢＲは、前記２列３７を一つの条３８として、合計６条の条３８から形成されている。
【００４０】
また、図４に詳細に示すように、前記一列３７ａのブラシ群３６は対向列３７ｂのブラシ群３６との配列角度θを、前記本体軸部２０に形成された螺旋リブ２３の傾斜角度θと同等の角度で形成すると共に、前記角度θは、隣り合う条３８に形成されるブラシ群と同角度状に配列され形成されている。
【００４１】
さらに、図５に示すように、前記のように一条３８を２列（３７ａ，３７ｂ）で構成されるブラシＢＲは、前記一列３７ａのブラシ群３６の先端３６ａが、前記他列３７ｂのブラシ群３６，３６間に入り込むように、それぞれが他方の列に向かって周方向において傾斜するように植設されている。すなわち、前記一列３７ａのブラシ群３６の先端３６ａが他列３７ｂのブラシ群３６の先端３６ａ，３６ａ間に入り込むように、それぞれがもたれかかるように傾斜をつけて植設されている。すなわち前記２列のブラシ群３６の先端３６ａ，３６ａにおいて、相互に突合するように植設されているのである。
【００４２】
図６（ａ）は前記雪中設置用標識アンカーの取付取外用器具の略正面図であり、（ｂ）は取付取外用器具の係合部拡大斜視図である。
【００４３】
図６中、４０は取付取外用器具であり、標識のポール６０（図８参照）及び前記雪中設置用標識アンカー１０を外嵌することができる器具本体４１と前記器具本体４１と直交するように取り付けられるハンドル４２とから、全体として略Ｔ字状に構成されている。
【００４４】
前記器具本体４１は、アルミダイキャスト製法により、概略円筒状に形成される共に、長手方向の略全長に亘り円半周に亘り切り欠くように前記ポール６０を抱持できるポール嵌入部４１ａを形成している。そして、前記器具本体４１の上端には前記ポール嵌入部４１ａとは平面視において対象となる位置に、嵌め入れた前記ポール６０を上端で保持する半円環状のポール外抱部４１ｂを設けて、直下に、前記ポール６０をポールの側面から嵌め入れるためのポール挿入孔４１ｄを設けている。また、前記４１ポール外抱部４１ｂとは平面視において対象となる位置であって、前記器具本体４１の下部にはポール外抱横架部４１ｃを設けている。
【００４５】
そして、前記器具本体４１の下端には、前記雪中設置用標識アンカー１０の上端に設けられた前記係合突出部２２に嵌合し、前記雪中設置用標識アンカー１０を回転圧入や、回転引き抜きを行うための鈎形嵌合部４３を切欠形成している。前記鈎形嵌合部４３は前記係合突出部２２を上方から嵌め入れるための縦型嵌合孔４３ａと、前記縦形嵌合孔４３ａに連通して前記係合突出部２２を横方向に嵌め入れる横長嵌合孔４３ｂとを備えている。
【００４６】
図７乃至図８は同雪中設置用標識アンカーの設置方法の手順（第１行程乃至第５行程）を示す概略図である。
【００４７】
以上のように構成された前記雪中設置用標識アンカー１０を、前記取付取外用器具４０を使用して雪中に設置するには、次のような設置方法で行うと好適である。
【００４８】
先ず、図７に示すように、積雪面ＳＧＲの所望位置に、前記雪中設置用標識アンカー１０の前記本体軸部２０の径と略同寸又はやや小さい径の孔ＨＬをドリル等で穿設する。
【００４９】
次に、図８に示すように、予め、前記雪中設置用標識アンカー１０に接続バネ５０とポール６０を嵌め込んだ状態で、前記孔ＨＬに突き刺す。このとき、前記雪中設置用標識アンカー１０の前記ブラシ部ＢＲの先端部は、前記孔ＨＬにより窄まった状態で、前記孔ＨＬに突入することとなる。このとき、前記孔ＨＬの孔径を大きくすると、前記雪中設置用標識アンカー１０は突入し易くなり設置し易くなるが、引き抜き抵抗が弱くなる。
【００５０】
次に、図９に示すように、前記取付取外用器具４０を、前記ポール６０の側部から外嵌して取り付けて、前記取付取外用器具４０の前記鈎形嵌合部４３を、前記雪中設置用標識アンカー１０の係合突出部２２に係合させるように固定する。
【００５１】
次に、図１０に示すように、前記取付取外用器具４０のハンドル４２を持ち、回転させながら圧入させて行く。このとき、前記ブラシ部ＢＲは、全体としては前記ブラシ部ＢＲを窄めた状態で入り込んで行くが、前記ブラシ部ＢＲを構成する一条の前記ブラシ条３８は、平面視において先端が窄まった形状となっていると共に、前記ブラシ部ＢＲの径が前記本体軸部２０の直径範囲内に窄んで収まるため、回転圧入するときの抵抗が少なく、雪中に入り易くなる。さらに、前記ブラシ部ＢＲを構成する前記ブラシ群３６，３６・・は、前記本体軸部２０に形成される螺旋リブ２３と同傾斜角度で植設されているので、回転圧入するときに雪中に入り易いものとなる。加えて、前記本体軸部２０に前記螺旋リブ２３が形成されているので、回転圧入するとき、にさらに雪中に入り易いものとなる。
【００５２】
そして、図１１に示すように、前記雪中設置用標識アンカー１０が埋設する程度にねじ込むと、その位置で、さらに前記取付取外用器具４０を回転させ（図１１では前記取付取外用器具４０の記載を省略）、前記ブラシ部ＢＲを、その位置で回転させて、周囲の雪を削り、前記ブラシ部ＢＲを窄まった状態から、さらに拡径させるのである。この行程により、さらに前記雪中設置用標識アンカー１０の固定力及び引き抜き強度を高めることができる。
【００５３】
また、設置状態においては、前記ブラシＢＲは、前記２列のブラシ群３６の先端３６ａ，３６ａにおいて、相互に突合するように植設されているので、先端部において２列のブラシ群３６，３６は重なり合っているため、引き抜き抵抗を高めることができる。
【００５４】
一方、前記ポール６０を撤収する場合は、前記取付取外用器具４０を、前記ポール６０の側部から外嵌して取り付けて、前記取付取外用器具４０の前記鈎形嵌合部４３を、前記雪中設置用標識アンカー１０の係合突出部２２に係合させるように固定し、回転させながら引き抜くのである。このとき、前記取付取外用器具４０の前記鈎形嵌合部４３は、前記雪中設置用標識アンカー１０の前記係合突出部２２に係合した状態で引き抜かれるので、前記ポール６０を容易に引き抜くことができる。また、撤収時における回転引き抜きについても、前記本体軸部２０に設けた前記螺旋リブ２３と、前記螺旋リブ２３と同傾斜角度で植設した前記ブラシ群３６，３６により、その回転が容易となる。
【００５５】
なお、本実施例においては、前記雪中設置用標識アンカー１０の前記ブラシ部ＢＲを６条にて形成したが、前記ブラシ群３６，３６の構成に応じて、条数を変更しても良い。また、前記一条のブラシ群３８を２列で構成したが、特にこの列数に限定されるものではなく、例えば３列であっても、その他の列数であっても良い。また、前記一条のブラシ条３８は、２列のブラシ列を互いに傾斜して植設し、先端部で相互に突合するように構成したが、これに限定されるものではなく、一列を直立させて植設し、他列を傾斜して先端部で相互に突合するように構成しても良い。
【符号の説明】
【００５６】
１０      アンカー
２０      本体軸部
２１      嵌合孔
２２      係合突出部
２３      螺旋リブ
２４      小突起
３０      ブラシ軸部
３１      先端突入部
３１ａ    逃がし溝
３１      突部
３５      植設孔
３６      ブラシ群
３７      ブラシ列
３７ａ    一列のブラシ列
３７      対向するブラシ列
３８      一条のブラシ条（２列のブラシ列にて構成される）
４０      取付取外用器具
４１      器具本体
４１ａ    ポール嵌入部
４１ｂ    ポール外抱部
４１ｃ    ポール外抱横架部
４１      ポール挿入孔
４２      ハンドル
４３      鉤型嵌合部
４３ａ    縦型嵌合孔
４３ｂ    横長嵌合孔
５０      接続バネ
６０      ポール（標識）
ＢＲ      ブラシ
ＳＧＲ    積雪部
ＨＬ      孔
【要約】      （修正有）【課題】回転圧入することができる雪中設置用標識アンカーであって、比較的小径の孔であっても、回転させながら容易に雪中に埋設させることができると共に、一方で、引き抜き方向に対して固定力を高めた雪中設置用標識アンカーを提供する。【解決手段】軸本体２０に螺旋リブ部２３を設け、軸先端に径方向外方に向けて拡がるブラシ部ＢＲを有する雪中設置用標識アンカー１０であって、ブラシ部は軸方向に沿って軸基端に向かい傾斜するように複数条を配列されてなると共に、一条のブラシ部は軸方向に沿って複数列に配され、複数列の夫々の先端部が相互に突合するように構成した。【選択図】図１【図１】
0005971877.tif 000002
【図２】
0005971877.tif 000003
【図３】
0005971877.tif 000004
【図４】
0005971877.tif 000005
【図５】
0005971877.tif 000006
【図６】
0005971877.tif 000007
【図７】
0005971877.tif 000008
【図８】
0005971877.tif 000009
【図９】
0005971877.tif 000010
【図１０】
0005971877.tif 000011
【図１１】
0005971877.tif 000012